(57)【要約】【課題】異物の付着による導通不良を抑制することができる電気接続用端子及びこれを備えたコネクタを提供する。【解決手段】電気接続用端子１０の摺接部２２が、第１接触部２２Ａ及び第２接触部２２Ｂを含んで構成されている。そして、第１接触部２２Ａは、摺接部２２が基板３０に摺接されて弾性変形した状態において、当該基板３０が当該摺接部２２に対して弾性変形部２４と反対側に摺動するときに、当該基板３０における当該摺接部２２との接触面３０Ａの一部をワイピングすることができる。一方、第２接触部２２Ｂは、第１接触部２２Ａでワイピングされた接触面３０Ａの一部に接触可能とされている。【選択図】図１
2019091592.tif 000002
【特許請求の範囲】
【請求項１】
取付対象物に固定される固定部と、
弾性変形可能とされ、接続対象物と摺接すると共に当該接続対象物と導通可能とされた摺接部と、
前記固定部と前記摺接部とを前記接続対象物が接近してくる側で繋ぐと共に弾性変形可能とされた弾性変形部と、
を備え、
前記摺接部は、第１接触部と、第２接触部と、を含んで構成されており、
前記第１接触部は、前記摺接部が前記接続対象物に摺接されて弾性変形した状態で当該接続対象物が当該摺接部に対して前記弾性変形部と反対側に摺動するときに当該接続対象物における当該摺接部との接触面の一部をワイピング可能とされ、
前記第２接触部は、前記第１接触部でワイピングされた前記接触面の一部に接触可能とされている、
電気接続用端子。
【請求項２】
取付対象物に固定される固定部と、
弾性変形可能とされ、板状の接続対象物と摺接すると共に当該接続対象物と導通可能とされた摺接部と、
前記固定部と前記摺接部とを前記接続対象物が接近してくる側で繋ぐと共に弾性変形可能とされた弾性変形部と、
を備え、
前記摺接部は、第１接触部と、第２接触部と、を含んで構成されており、
前記第１接触部は、前記摺接部が前記接続対象物に摺接されて弾性変形した状態で当該接続対象物における当該摺接部との接触面に接触可能とされ、
前記第２接触部は、前記接続対象物の板厚方向から見て前記第１接触部に対して前記弾性変形部と反対側に位置すると共に、当該接続対象物が前記摺接部に対して前記弾性変形部と反対側に摺動したときに前記接触面に接触可能とされ、当該板厚方向から見て当該第１接触部を通りかつ当該接続対象物の摺動方向に延びる直線上に位置している、
電気接続用端子。
【請求項３】
前記摺接部は、第１当接片部と、第２当接片部と、を含んで構成されており、
前記第１当接片部は、前記弾性変形部から前記接続対象物が接近してくる側と反対側に延びかつ直線状の又は当該接続対象物が接近してくる側に膨らむ板状とされていると共に、当該弾性変形部と反対側の先端側に前記第１接触部が設けられており、
前記第２当接片部は、前記弾性変形部から前記接続対象物が接近してくる側と反対側に延びかつ直線状の又は当該接続対象物が接近してくる側に膨らむ板状とされていると共に、当該弾性変形部と反対側の先端側に前記第２接触部が設けられている、
請求項１又は請求項２に記載の電気接続用端子。
【請求項４】
前記摺接部と前記弾性変形部との境界部から前記第１接触部までの距離は、当該境界部から前記第２接触部までの距離よりも短い距離に設定されていると共に、
前記摺接部が前記接続対象物に摺接された状態において、前記第１当接片部が弾性変形して前記第１接触部が当該接続対象物を押圧するときの接触圧は、前記第２当接片部が弾性変形して前記第２接触部が当該接続対象物を押圧するときの接触圧よりも大きい値に設定されている、
請求項３に記載の電気接続用端子。
【請求項５】
前記第１当接片部及び前記第２当接片部の少なくとも一方は、前記接続対象物が接近してくる側に凸となって湾曲されている、
請求項３又は請求項４に記載の電気接続用端子。
【請求項６】
前記第１接触部の先端部には、係止部が設けられており、
前記第２当接片部には、前記係止部を係止可能な被係止部が設けられている、
請求項３〜請求項５の何れか１項に記載の電気接続用端子。
【請求項７】
前記被係止部は、前記接続対象物に摺接可能とされており、
前記係止部は、前記被係止部における前記接続対象物と摺接される面と反対側の面に係止可能とされている、
請求項６に記載の電気接続用端子。
【請求項８】
請求項１〜請求項７の何れか１項に記載の電気接続用端子と、
前記固定部が固定されたハウジングと、
を有するコネクタ。
【発明の詳細な説明】
【技術分野】
【０００１】
本発明は、電気接続用端子及びこれを備えたコネクタに関する。
【背景技術】
【０００２】
下記特許文献１には、コネクタに関する発明が開示されている。このコネクタは、第１基板と導通されるコンタクトと、このコンタクトを保持するインシュレータとを含んで構成されている。また、コンタクトは、インシュレータに圧入されて固定される圧入部と、コネクタ上方側に突出されると共に第２基板との接点が設けられた接触部と、圧入部と接触部とを繋ぐバネ部と、第１基板に半田付けされた半田付部とを含んで構成されている。そして、第２基板を第１基板に平行な状態でコンタクトに接近させると、第２基板が接触部を押圧することでコンタクトが弾性変形するようになっている。このため、コンタクトに第２基板を第１基板に平行な状態で接近させることで、コンタクトによって第２基板が押圧された状態で第１基板と第２基板とを導通接続させることが可能となっている。
【先行技術文献】
【特許文献】
【０００３】
【特許文献１】特開２００２−０５６９１６号公報
【発明の概要】
【発明が解決しようとする課題】
【０００４】
ところで、上記先行技術では、第２基板におけるコンタクトとの接触面に異物が付着している場合、この異物によって、第２基板とコンタクトとの導通不良が発生することが考えられる。つまり、上記先行技術は、異物の付着による導通不良を抑制するという点において改善の余地がある。
【０００５】
本発明は上記事実を考慮し、異物の付着による導通不良を抑制することができる電気接続用端子及びこれを備えたコネクタを提供することを目的とする。
【課題を解決するための手段】
【０００６】
第一の態様に係る電気接続用端子は、取付対象物に固定される固定部と、弾性変形可能とされ、接続対象物と摺接すると共に当該接続対象物と導通可能とされた摺接部と、前記固定部と前記摺接部とを前記接続対象物が接近してくる側で繋ぐと共に弾性変形可能とされた弾性変形部と、を備え、前記摺接部は、第１接触部と、第２接触部と、を含んで構成されており、前記第１接触部は、前記摺接部が前記接続対象物に摺接されて弾性変形した状態で当該接続対象物が当該摺接部に対して前記弾性変形部と反対側に摺動するときに当該接続対象物における当該摺接部との接触面の一部をワイピング可能とされ、前記第２接触部は、前記第１接触部でワイピングされた前記接触面の一部に接触可能とされている。
【０００７】
第一の態様に係る電気接続用端子によれば、固定部、摺接部及び弾性変形部を備えており、固定部によって取付対象物に固定されている。また、摺接部は、弾性変形しつつ接続対象物と摺接されて、当該接続対象物と導通されるようになっている。さらに、固定部と摺接部とは、接続対象物が接近してくる側において弾性変形部で繋がれており、当該弾性変形部は、摺接部の弾性変形に追従して弾性変形することができる。このため、本態様では、スライド移動して接近してくる接続対象物と摺接部とを安定した状態で導通接続させることができる。
【０００８】
ところで、接続対象物における摺接部との接触面に異物が付着している場合、この異物によって、摺接部と接続対象物との導通不良が発生することが考えられる。
【０００９】
ここで、本態様では、摺接部が第１接触部及び第２接触部を含んで構成されている。そして、第１接触部は、摺接部が接続対象物に摺接されて弾性変形した状態において、当該接続対象物が当該摺接部に対して弾性変形部と反対側に摺動するときに、当該接続対象物における当該摺接部との接触面の一部をワイピングすることができる。一方、第２接触部は、第１接触部でワイピングされた接続対象物の接触面の一部に接触可能とされている。このため、摺接部との接触前において接続対象物の接触面に異物が付着している状態であっても、第２接触部は、第１接触部で異物が除去された状態の当該接触面の一部に接触して当該接続対象物に導通される。
【００１０】
第二の態様に係る電気接続用端子は、取付対象物に固定される固定部と、弾性変形可能とされ、板状の接続対象物と摺接すると共に当該接続対象物と導通可能とされた摺接部と、前記固定部と前記摺接部とを前記接続対象物が接近してくる側で繋ぐと共に弾性変形可能とされた弾性変形部と、を備え、前記摺接部は、第１接触部と、第２接触部と、を含んで構成されており、前記第１接触部は、前記摺接部が前記接続対象物に摺接されて弾性変形した状態で当該接続対象物における当該摺接部との接触面に接触可能とされ、前記第２接触部は、前記接続対象物の板厚方向から見て前記第１接触部に対して前記弾性変形部と反対側に位置すると共に、当該接続対象物が前記摺接部に対して前記弾性変形部と反対側に摺動したときに前記接触面に接触可能とされ、当該板厚方向から見て当該第１接触部を通りかつ当該接続対象物の摺動方向に延びる直線上に位置している。
【００１１】
第二の態様に係る電気接続用端子によれば、第一の態様に係る電気接続用端子と同様に、スライド移動して接近してくる接続対象物と摺接部とを安定した状態で導通接続させることができるものの、接続対象物の接触面に付着した異物によって、摺接部と接続対象物との導通不良が発生することが考えられる。
【００１２】
ここで、本態様では、摺接部が第１接触部及び第２接触部を含んで構成されており、第１接触部は、摺接部が板状の接続対象物に摺接されて弾性変形した状態において、当該接続対象物における当該摺接部との接触面に接触することができる。一方、第２接触部は、接続対象物の板厚方向から見て第１接触部に対して弾性変形部と反対側に位置している。また、第２接触部は、接続対象物が摺接部に対して弾性変形部と反対側に摺動したときに、当該接続対象物の接触面に接触することができると共に、接続対象物の板厚方向から見て第１接触部を通りかつ接続対象物の摺動方向に延びる直線上に位置している。
【００１３】
このため、本態様では、摺接部との接触前において接続対象物の接触面に異物が付着している状態であっても、まず、第１接触部が当該接触面に接触されて当該異物の一部が除去される。そして、第２接触部は、第１接触部で異物が除去された状態の接続対象物の接触面の一部に接触して当該接続対象物に導通される。
【００１４】
第三の態様に係る電気接続用端子は、第一の態様又は第二の態様において、前記摺接部は、第１当接片部と、第２当接片部と、を含んで構成されており、前記第１当接片部は、前記弾性変形部から前記接続対象物が接近してくる側と反対側に延びかつ直線状の又は当該接続対象物が接近してくる側に膨らむ板状とされていると共に、当該弾性変形部と反対側の先端側に前記第１接触部が設けられており、前記第２当接片部は、前記弾性変形部から前記接続対象物が接近してくる側と反対側に延びかつ直線状の又は当該接続対象物が接近してくる側に膨らむ板状とされていると共に、当該弾性変形部と反対側の先端側に前記第２接触部が設けられている。
【００１５】
第三の態様に係る電気接続用端子によれば、摺接部が第１当接片部及び第２当接片部を含んで構成されている。そして、第１当接片部及び第２当接片部は、それぞれ弾性変形部から接続対象物が接近してくる側と反対側に延びかつ直線状の又は当該接続対象物が接近してくる側に膨らむ板状とされている。また、第１当接片部における弾性変形部と反対側の先端側には、第１接触部が設けられており、第２当接片部における弾性変形部と反対側の先端側には、第２接触部が設けられている。このため、接続対象物が摺接部に対して弾性変形部と反対側に摺動したときに、接続対象物は、摺接部に沿って滑らかに摺動しつつ、第１接触部及び第２接触部に接触することができる。その結果、接続対象物が第１当接片部及び第２当接片部から受ける抵抗に大きな変動が生じることを抑制することができる。
【００１６】
第四の態様に係る電気接続用端子は、第三の態様において、前記摺接部と前記弾性変形部との境界部から前記第１接触部までの距離は、当該境界部から前記第２接触部までの距離よりも短い距離に設定されていると共に、前記摺接部が前記接続対象物に摺接された状態において、前記第１当接片部が弾性変形して前記第１接触部が当該接続対象物を押圧するときの接触圧は、前記第２当接片部が弾性変形して前記第２接触部が当該接続対象物を押圧するときの接触圧よりも大きい値に設定されている。
【００１７】
第四の態様に係る電気接続用端子によれば、摺接部と弾性変形部との境界部から第１接触部までの距離が、当該境界部から第２接触部までの距離よりも短い距離に設定されている。このため、第１当接片部と第２当接片部とで板厚や幅が同様の値とされている場合には、第１当接片部が所定の変形量となるまで弾性変形させるのに必要な力が、第２当接片部が当該所定の変形量となるまで弾性変形させるのに必要な力よりも大きくなる。
【００１８】
また、本態様では、摺接部が接続対象物に摺接された状態において、第１当接片部が弾性変形して第１接触部が当該接続対象物を押圧するときの接触圧が、第２当接片部が弾性変形して第２接触部が当該接続対象物を押圧するときの接触圧よりも大きい値に設定されている。なお、ここでいう接触圧とは、第１接触部や第２接触部が接続対象物を押圧する力を意味しており、当該接触圧の単位は、[ｇ重]や[Ｎ]である。
【００１９】
したがって、本態様では、接続対象物が摺接部に対して弾性変形部と反対側に摺動したときに、第２接触部よりも第１接触部の方が強く接続対象物の接触面に押し当てられ、当該第１接触部によって当該接触面に付着した異物が除去される確度を高めることができる。
【００２０】
第五の態様に係る電気接続用端子は、第三の態様又は第四の態様において、前記第１当接片部及び前記第２当接片部の少なくとも一方は、前記接続対象物が接近してくる側に凸となって湾曲されている。
【００２１】
第五の態様に係る電気接続用端子によれば、第１当接片部及び第２当接片部の少なくとも一方が接続対象物が接近してくる側に凸となって湾曲されている。このため、第１当接片部及び第２当接片部がそれぞれ直線状とされている構成と比し、第１当接片部及び第２当接片部のうち湾曲されている方の接続対象物との摺接面と当該接続対象物の接触面との成す角度を小さくすることができる。その結果、本態様では、接続対象物が所定の位置に配置されるまでに摺接部から受ける抵抗を小さくすることができる。
【００２２】
第六の態様に係る電気接続用端子は、第三の態様〜第五の態様の何れか一態様において、前記第１接触部の先端部には、係止部が設けられており、前記第２当接片部には、前記係止部を係止可能な被係止部が設けられている。
【００２３】
第六の態様に係る電気接続用端子によれば、第１接触部の先端部に係止部が設けられている。一方、第２当接片部には、第１接触部に設けられた係止部を係止可能な被係止部が設けられており、当該係止部が当該被係止部に係止されることで、先端側に第１接触部が設けられた第１当接片部と第２当接片部との相対変位を規制することができる。このため、例えば、接続対象物が摺接部に対して摺動しているときに、当該接続対象物に付着した異物や作業者の指等が第１当接片部に引っ掛かる等して、当該第１当接片部が不要な変形をすることを抑制することができる。
【００２４】
第七の態様に係る電気接続用端子は、第六の態様において、前記被係止部は、前記接続対象物に摺接可能とされており、前記係止部は、前記被係止部における前記接続対象物と摺接される面と反対側の面に係止可能とされている。
【００２５】
第七の態様に係る電気接続用端子によれば、接続対象物が摺接部に対して弾性変形部と反対側に摺動するときに、当該接続対象物は、第２当接片部に設けられた被係止部に摺接される。一方、第１当接片部に設けられた係止部は、被係止部における接続対象物と摺接される面と反対側の面に係止可能とされている。このため、第１接触部が接続対象物に接触するときに、被係止部が当該接続対象物の障害となることを抑制することができる。
【００２６】
第八の態様に係るコネクタは、第一の態様〜第七の態様の何れか一態様に係る電気接続用端子と、前記固定部が固定されたハウジングと、を有している。
【００２７】
第八の態様に係るコネクタによれば、電気接続用端子の固定部がハウジングに固定されており、当該電気接続用端子を安定した状態で保持することができる。
【発明の効果】
【００２８】
以上説明したように、本発明に係る電気接続用端子及びこれを備えたコネクタは、異物の付着による導通不良を抑制することができるという優れた効果を有する。
【図面の簡単な説明】
【００２９】
【図１】第１実施形態に係る電気接続用端子の構成を示す斜視図である。
【図２】第１実施形態に係る電気接続用端子の構成を示す側面図（図１の２方向矢視図）である。
【図３】第１実施形態に係る電気接続用端子の構成を示す平面図（図２の３方向矢視図）である。
【図４】第１実施形態に係るコネクタの構成を示す断面図（図５の４−４線に沿って切断した状態を示す断面）である。
【図５】第１実施形態に係るコネクタの構成を示す斜視図である。
【図６】第２実施形態に係る電気接続用端子の構成を示す斜視図である。
【図７】第２実施形態に係る電気接続用端子の構成を示す断面図（図６の７−７線に沿って切断した状態を示す断面）である。
【発明を実施するための形態】
【００３０】
＜第１実施形態＞
以下、図１〜図５を用いて、本発明の第１実施形態に係る「電気接続用端子１０」（以下、端子１０と称する）の説明を主としつつ、端子１０を備えた「コネクタ１２」の構成について説明する。なお、各図に適宜示される矢印Ｘはコネクタ前方側を示しており、矢印Ｙはコネクタ幅方向一方側（左側）を示しており、矢印Ｚはコネクタ上方側を示している。なお、これらの方向は説明の便宜上用いられるものであり、実装時等におけるコネクタ１２の姿勢を絶対的に規定するものではない。
【００３１】
図５に示されるように、コネクタ１２は、一例として、４つの端子１０が取り付けられた取付対象物としての樹脂製の「ハウジング１４」を備えている。このハウジング１４は、コネクタ幅方向及びコネクタ前後方向に延在する板状のベース部１４Ａと、当該ベース部１４Ａからコネクタ上方側に突出されると共に外形が直方体状とされた本体部１４Ｂとを含んで構成されている。そして、本体部１４Ｂには、それぞれ端子１０が納まると共に隔壁部１４Ｂ１で仕切られた収容凹部１６がコネクタ幅方向に４つ設けられており、当該収容凹部１６は、コネクタ上方側及びコネクタ前方側に開放されている。なお、収容凹部１６の底面１６Ａは、ベース部１４Ａの上面によって構成されている。
【００３２】
また、ベース部１４Ａのコネクタ下方側の下面には、二つの突起部１４Ｃが設けられており、図４にも示されるように、基板１８に設けられた図示しない貫通部に突起部１４Ｃが嵌合されることで、コネクタ１２は基板１８に仮止めされている。
【００３３】
一方、端子１０は、ハウジング１４に固定される「固定部２０」と、「摺接部２２」と、当該固定部２０と当該摺接部２２とを繋ぐ「弾性変形部２４」とを含んで構成されている。なお、端子１０は、弾性変形可能でかつ板厚が一定とされた金属製の板材が打ち抜き加工された後に曲げ加工されることで形成されている。
【００３４】
ここで、本実施形態では、端子１０における摺接部２２の構成に大きな特徴がある。以下、摺接部２２の構成を中心に、本実施形態の要部を構成する端子１０の構成について詳細に説明することとする。
【００３５】
図１に示されるように、固定部２０は、板厚方向をコネクタ上下方向とされてコネクタ前後方向に延びる板状とされており、そのコネクタ前後方向に延びる周縁部には、それぞれ複数の係止部２０Ａが設けられている。一方、図４に示されるように、隔壁部１４Ｂ１、本体部１４Ｂのコネクタ幅方向一方側の部分を構成する側壁部１４Ｂ２及び本体部１４Ｂのコネクタ幅方向他方側の部分を構成する側壁部１４Ｂ３のそれぞれにおける端子１０側の面には、底面１６Ａとの境界部分に溝部２６が形成されている。そして、固定部２０が溝部２６に圧入されて係止部２０Ａが溝部２６に係止されることで端子１０がハウジング１４に固定されている。
【００３６】
また、固定部２０のコネクタ前方側の端部には、コネクタ下方側に延びるリード部２８が設けられており、当該リード部２８は、基板１８に設けられた図示しないスルーホールに挿通されて基板１８に半田付けされている。
【００３７】
弾性変形部２４は、固定部２０のコネクタ後方側の周縁部から延出されてコネクタ前方側に折り返されると共に、コネクタ幅方向から見て、コネクタ後方側に凸となって湾曲した板状とされている。そして、弾性変形部２４のコネクタ前方側の周縁部からは、摺接部２２が延出されている。
【００３８】
図１に戻り、摺接部２２は、「第１接触部２２Ａ」、「第２接触部２２Ｂ」、「第１当接片部２２Ｃ」、「第２当接片部２２Ｄ」、規制部２２Ｅ及び連結部２２Ｆを含んで構成されている。そして、摺接部２２は、後述するように、接続対象物としての板状の「基板３０」（図４参照）が、その板厚方向をコネクタ上下方向とされた状態でコネクタ後方側から接近してくると、当該基板３０に摺接されるようになっている。つまり、上述した弾性変形部２４は、摺接部２２と固定部２０とを基板３０が接近してくる側で繋ぐと共に、基板３０が接近してくる側に凸となって湾曲されていると見なすこともできる。
【００３９】
より詳しくは、摺接部２２は、その主な部分が第１当接片部２２Ｃ及び第２当接片部２２Ｄによって構成されている。第１当接片部２２Ｃは、コネクタ幅方向から見て、弾性変形部２４からコネクタ前方上側（基板３０が接近してくる側と反対側）に直線状に延びる板状とされている。また、第１当接片部２２Ｃは、その長手方向中央部から弾性変形部２４までの部分において、その幅（コネクタ幅方向の長さ）が一定とされており、その長手方向中央部から先端側の部分において、その幅が先端側に向かうに従って縮幅されている。そして、第１当接片部２２Ｃの先端側の周縁部からは、第１接触部２２Ａが延出されている。なお、第１当接片部２２Ｃの上面は、後述するように、基板３０に摺接されるようになっているため、以下では、当該上面を摺接面２２Ｃ１と称することとする。
【００４０】
図２に示されるように、第１接触部２２Ａは、コネクタ幅方向から見て、コネクタ上方側に凸となって湾曲しつつ、第１当接片部２２Ｃからコネクタ前方下側に延びる鉤状とされている。この第１接触部２２Ａにおけるコネクタ上方側の周縁部は、図１にも示されるように、それぞれ当該第１接触部２２Ａの延在方向に沿う面取部とされている。そして、これらの面取部に挟まれた第１接触部２２Ａの上面の幅（コネクタ幅方向の長さ）は、第１接触部２２Ａ全体の幅（コネクタ幅方向の長さ）よりも短い長さとされている。なお、第１接触部２２Ａの上面は、後述するように、基板３０に摺接されるようになっているため、以下では、当該上面を摺接面２２Ａ１と称することとする。
【００４１】
一方、第２当接片部２２Ｄは、図１及び図２に示されるように、全体では、コネクタ幅方向から見て、コネクタ後方上側に凸となって緩やかに湾曲しつつ、弾性変形部２４からコネクタ前方上側に延びている。換言すれば、第２当接片部２２Ｄは、弾性変形部２４から基板３０が接近してくる側と反対側に延びかつ基板３０が接近してくる側に膨らむ板状とされている。
【００４２】
この第２当接片部２２Ｄは、そのコネクタ幅方向一方側の部分を構成する長辺部２２Ｄ１と、そのコネクタ幅方向他方側の部分を構成する長辺部２２Ｄ２と、そのコネクタ前方側の部分を構成する短辺部２２Ｄ３とを含んで、コネクタ上下方向から見て、第１接触部２２Ａ及び第１当接片部２２Ｃを囲む枠状に構成されている。
【００４３】
より詳しくは、図３にも示されるように、長辺部２２Ｄ１、２２Ｄ２は、コネクタ上下方向から見て、コネクタ前後方向に延びており、短辺部２２Ｄ３は、コネクタ上下方向から見て、長辺部２２Ｄ１と長辺部２２Ｄ２とをコネクタ前方側で繋ぐと共にコネクタ後方側に向かうに従って拡幅されたＵ字状とされている。なお、第２当接片部２２Ｄの上面は、後述するように、基板３０に摺接されるようになっているため、以下では、当該上面を摺接面２２Ｄ４と称することとする。
【００４４】
また、長辺部２２Ｄ１、２２Ｄ２は、コネクタ幅方向から見て、その弾性変形部２４側の部分が第１当接片部２２Ｃと重なっているものの、コネクタ前方側に向かうに従って第１当接片部２２Ｃに対してコネクタ前方側に離間された状態となっている。換言すれば、長辺部２２Ｄ１、２２Ｄ２及び第１当接片部２２Ｃは、コネクタ幅方向から見て、弾性変形部２４に向かうに従って縮幅されたＶ字状となるように構成されている。
【００４５】
規制部２２Ｅは、摺接部２２の先端部を構成しており、コネクタ前後方向を板厚方向とされてコネクタ上下方向に延びる板状の縦板部２２Ｅ１と、当該縦板部２２Ｅ１のコネクタ下方側の周縁部からコネクタ上下方向を板厚方向とされてコネクタ後方側に延びる板状の下板部２２Ｅ２とを含んで構成されている。この規制部２２Ｅは、後述するように、固定部２０に当接されることで摺接部２２の弾性変形を規制可能とされている。
【００４６】
また、図４に示されるように、ハウジング１４の隔壁部１４Ｂ１及び側壁部１４Ｂ２、１４Ｂ３の端子１０側の面には、それぞれコネクタ幅方向に凹んだ凹部３２が設けられている。そして、コネクタ１２がハウジング１４に圧入された状態において、下板部２２Ｅ２のコネクタ幅方向一方側の端部及びコネクタ幅方向他方側の端部は、凹部３２のコネクタ上方側の縁部に係止された状態とされており、規制部２２Ｅのコネクタ上方側への変位が規制されるようになっている。
【００４７】
連結部２２Ｆは、図１及び図２に示されるように、規制部２２Ｅのコネクタ上方側の周縁部と第２当接片部２２Ｄのコネクタ上方側を繋ぐと共に、コネクタ上方前側に凸となって湾曲された板状とされている。この連結部２２Ｆの上面２２Ｆ１は、第２当接片部２２Ｄの摺接面２２Ｄ４と連続しており、当該上面２２Ｆ１には、当該上面２２Ｆ１に沿って第２接触部２２Ｂが設けられている。
【００４８】
第２接触部２２Ｂは、図３にも示されるように、連結部２２Ｆの上面２２Ｆ１から突出されると共にコネクタ上下方向から見てコネクタ前後方向に延びる突起部とされており、その延在方向から見た断面形状は、そのコネクタ上方側の外周部が連結部２２Ｆ側に開放されたＵ字状とされた略矩形状とされている。この第２接触部２２Ｂは、コネクタ上下方向（基板３０の板厚方向）から見て、上述した第１接触部２２Ａを通りかつコネクタ前後方向に延びる「直線Ｌ」上に位置している。また、第１接触部２２Ａにおけるコネクタ幅方向の長さ（第１当接片部２２Ｃの幅方向の長さ）Ｄ１は、第２接触部２２Ｂにおけるコネクタ幅方向の長さＤ２よりも長い長さに設定されている。なお、第２接触部２２Ｂは、第２当接片部２２Ｄの短辺部２２Ｄ３にもその一部が設けられている。
【００４９】
また、第２接触部２２Ｂの上面は、後述するように、基板３０に摺接されるようになっているため、以下では、当該上面を摺接面２２Ｂ１と称することとする。そして、第１接触部２２Ａの摺接面２２Ａ１におけるコネクタ幅方向の長さｄ１は、摺接面２２Ｂ１のコネクタ幅方向の長さｄ２よりも長い長さに設定されている。
【００５０】
上記のように構成された摺接部２２では、当該摺接部２２に基板３０が接近してくると、まず、基板３０が第１当接片部２２Ｃの摺接面２２Ｃ１に摺接し、当該第１当接片部２２Ｃが弾性変形するようになっている。そして、第１接触部２２Ａは、第１当接片部２２Ｃが基板３０に摺接されて弾性変形された状態で、基板３０が第１当接片部２２Ｃに対してコネクタ前方側に摺動するときに、その摺接面２２Ａ１によって基板３０における摺接部２２との「接触面３０Ａ」の一部をワイピング可能とされている。
【００５１】
また、第２当接片部２２Ｄは、基板３０がコネクタ前方側に変位されて第１当接片部２２Ｃの弾性変形量が大きくなると、その摺接面２２Ｄ４に基板３０が摺接されて弾性変形するようになっている。そして、基板３０が第２当接片部２２Ｄに対してコネクタ前方側に摺動していくと、第２接触部２２Ｂの摺接面２２Ｂ１が、第１接触部２２Ａでワイピングされた接触面３０Ａの一部に接触されるようになっている。つまり、上述した直線Ｌは、コネクタ上下方向から見て、第１接触部２２Ａを通りかつ基板３０の摺動方向に延びる直線と見なすこともできる。
【００５２】
さらに、図１に示されるように、摺接部２２と弾性変形部２４との境界部から第１接触部２２Ａの中央部までの「距離Ｓ１」は、当該境界部から第２接触部２２Ｂの中央部までの「距離Ｓ２」よりも短い距離に設定されている。
【００５３】
加えて、摺接部２２が基板３０に摺接された状態において、第１当接片部２２Ｃが弾性変形して第１接触部２２Ａが基板３０を押圧するときの接触圧は、第２当接片部２２Ｄが弾性変形して第２接触部２２Ｂが基板３０を押圧するときの接触圧よりも大きい値に設定されている。なお、ここでいう接触圧とは、第１接触部２２Ａや第２接触部２２Ｂが基板３０を押圧する力を意味しており、当該接触圧の単位は、[ｇ重]や[Ｎ]である。
【００５４】
さらに加えて、摺接部２２の弾性変形量が所定量を超えると、規制部２２Ｅの下板部２２Ｅ２が、固定部２０に当接されることで、摺接部２２の弾性変形が規制されるようになっている。
【００５５】
（本実施形態の作用及び効果）
次に、本実施形態の作用及び効果を説明する。
【００５６】
本実施形態では、図１に示されるように、固定部２０、摺接部２２及び弾性変形部２４を備えており、固定部２０によってハウジング１４に固定されている。また、摺接部２２は、弾性変形しつつ基板３０と摺接されて、当該基板３０と導通されるようになっている。さらに、固定部２０と摺接部２２とは、基板３０が接近してくる側において弾性変形部２４で繋がれており、当該弾性変形部２４は、摺接部２２の弾性変形に追従して弾性変形することができる。このため、本実施形態では、スライド移動して接近してくる基板３０と摺接部２２とを安定した状態で導通接続させることができる。
【００５７】
ところで、基板３０における摺接部２２との接触面３０Ａに異物が付着している場合、この異物によって、摺接部２２と基板３０との導通不良が発生することが考えられる。
【００５８】
ここで、本実施形態では、摺接部２２が第１接触部２２Ａ及び第２接触部２２Ｂを含んで構成されている。そして、第１接触部２２Ａは、摺接部２２が基板３０に摺接されて弾性変形した状態において、当該基板３０が当該摺接部２２に対して弾性変形部２４と反対側に摺動するときに、当該基板３０における当該摺接部２２との接触面３０Ａの一部をワイピングすることができる。一方、第２接触部２２Ｂは、第１接触部２２Ａでワイピングされた接触面３０Ａの一部に接触可能とされている。
【００５９】
より具体的に説明すると、第１接触部２２Ａは、摺接部２２が板状の基板３０に摺接されて弾性変形した状態において、基板３０における摺接部２２との接触面３０Ａに接触することができる。一方、第２接触部２２Ｂは、図３にも示されるように、基板３０の板厚方向から見て第１接触部２２Ａに対して弾性変形部２４と反対側に位置している。また、第２接触部２２Ｂは、基板３０が摺接部２２に対して弾性変形部２４と反対側に摺動したときに、基板３０の接触面３０Ａに接触することができると共に、基板３０の板厚方向から見て第１接触部２２Ａを通りかつ基板３０の摺動方向に延びる直線Ｌ上に位置している。このため、本実施形態では、摺接部２２との接触前において基板３０の接触面３０Ａに異物が付着している状態であっても、まず、第１接触部２２Ａが接触面３０Ａに接触されて当該異物の一部が除去される。そして、第２接触部２２Ｂは、第１接触部２２Ａで異物が除去された状態の接触面３０Ａの一部に接触して基板３０に導通される。
【００６０】
また、本実施形態では、摺接部２２が第１当接片部２２Ｃ及び第２当接片部２２Ｄを含んで構成されている。そして、第１当接片部２２Ｃは、弾性変形部２４から基板３０が接近してくる側と反対側に延びかつ直線状の板状とされており、第２当接片部２２Ｄは、弾性変形部２４から基板３０が接近してくる側と反対側に延びかつ基板３０が接近してくる側に膨らむ板状とされている。また、第１当接片部２２Ｃにおける弾性変形部２４と反対側の先端側には、第１接触部２２Ａが設けられており、第２当接片部２２Ｄにおける弾性変形部２４と反対側の先端側には、第２接触部２２Ｂが設けられている。このため、基板３０が摺接部２２に対して弾性変形部２４と反対側に摺動したときに、基板３０は、摺接部２２に沿って滑らかに摺動しつつ、第１接触部２２Ａ及び第２接触部２２Ｂに接触することができる。その結果、基板３０が第１当接片部２２Ｃ及び第２当接片部２２Ｄから受ける抵抗に大きな変動が生じることを抑制することができる。
【００６１】
また、本実施形態では、摺接部２２と弾性変形部２４との境界部から第１接触部２２Ａまでの距離Ｓ１が、当該境界部から第２接触部２２Ｂまでの距離Ｓ２よりも短い距離に設定されている。このため、第１当接片部２２Ｃと第２当接片部２２Ｄとで板厚や幅が同様の値とされている場合には、第１当接片部２２Ｃが所定の変形量となるまで弾性変形させるのに必要な力が、第２当接片部２２Ｄが当該所定の変形量となるまで弾性変形させるのに必要な力よりも大きくなる。
【００６２】
さらに、本実施形態では、摺接部２２が基板３０に摺接された状態において、第１当接片部２２Ｃが弾性変形して第１接触部２２Ａが基板３０を押圧するときの接触圧が、第２当接片部２２Ｄが弾性変形して第２接触部２２Ｂが基板３０を押圧するときの接触圧よりも大きい値に設定されている。したがって、本実施形態では、基板３０が摺接部２２に対して弾性変形部２４と反対側に摺動したときに、第２接触部２２Ｂよりも第１接触部２２Ａの方が強く基板３０の接触面３０Ａに押し当てられ、第１接触部２２Ａによって接触面３０Ａに付着した異物が除去される確度を高めることができる。
【００６３】
また、本実施形態では、第２当接片部２２Ｄが、基板３０が接近してくる側に凸となって湾曲されている。このため、第２当接片部２２Ｄが直線状とされている構成と比し、第２当接片部２２Ｄの基板３０との摺接面２２Ｄ４と基板３０の接触面３０Ａとの成す角度を小さくすることができる。その結果、本実施形態では、基板３０が所定の位置に配置されるまでに摺接部２２から受ける抵抗を小さくすることができる。
【００６４】
また、本実施形態では、弾性変形部２４が、板状とされていると共に、基板３０が接近してくる側に凸となって湾曲されている。このため、弾性変形部２４が、当該弾性変形部２４の幅方向から見て複数の屈曲部を有するコ字状に曲げられているような構成と比し、弾性変形部２４の板厚方向に作用する同じ大きさの力に対する弾性変形部２４の変形量を大きくすることができる。その結果、本実施形態では、基板３０が所定の位置に配置されるまでに基板３０が摺接部２２を介して弾性変形部２４から受ける抵抗を小さくすることができる。
【００６５】
加えて、本実施形態では、摺接部２２は、その先端部を構成する規制部２２Ｅと規制部２２Ｅと第２当接片部２２Ｄとを繋ぐ連結部２２Ｆとを備えている。そして、規制部２２Ｅは、摺接部２２が基板３０に摺接されて弾性変形した状態において、基板３０と反対側で固定部２０に当接されて当該弾性変形を規制可能とされている。このため、摺接部２２が基板３０に摺接されて必要以上に弾性変形することを抑制することができる。
【００６６】
ところで、規制部２２Ｅが摺接部２２の弾性変形を規制するときに、規制部２２Ｅのみでなく規制部２２Ｅと第２当接片部２２Ｄとを繋ぐ連結部２２Ｆにも負荷がかかることが考えられるため、連結部２２Ｆの幅は十分に確保されていることが好ましい。一方で、連結部２２Ｆを第２接触部２２Ｂとして用いる場合を考えると、連結部２２Ｆの幅が大きすぎると、第２接触部２２Ｂは、第１接触部２２Ａで異物が除去されていない状態の基板３０の接触面３０Ａにも接触することが考えられる。
【００６７】
ここで、本実施形態では、第２接触部２２Ｂが連結部２２Ｆにおける第２当接片部２２Ｄの摺接面２２Ｄ４と連続する上面２２Ｆ１から突出された突起部とされていると共に、第１接触部２２Ａにおける第１当接片部２２Ｃの幅方向の長さＤ１は、第２接触部２２Ｂにおける当該幅方向の長さＤ２よりも長い長さに設定されている。このため、本実施形態では、連結部２２Ｆの幅を確保しつつ、第２接触部２２Ｂが第１接触部２２Ａで異物が除去された状態の基板３０の接触面３０Ａに接触する確度を高めることができる。
【００６８】
以上説明したように、本実施形態に係る端子１０は、異物の付着による導通不良を抑制することができる。また、本実施形態に係るコネクタ１２では、端子１０の固定部２０がハウジング１４に固定されており、当該端子１０を安定した状態で保持することができるため、基板１８と基板３０とを安定した状態で導通接続することができる。
【００６９】
＜第２実施形態＞
以下、図６及び図７を用いて、本発明に係る電気接続用端子の第２実施形態について説明する。なお、上述した第１実施形態と同一構成部分については同一番号を付してその説明を省略する。
【００７０】
本実施形態に係る「電気接続用端子４０」は、基本的に第１実施形態に係る端子１０と同様の構成とされており、固定部２０、弾性変形部２４及びリード部２８を含んで構成されているものの、「摺接部４２」の構成が端子１０と異なっている。
【００７１】
摺接部４２は、「第１接触部４２Ａ」、「第２接触部４２Ｂ」、「第１当接片部４２Ｃ」、「第２当接片部４２Ｄ」、規制部４２Ｅ及び連結部４２Ｆを含んで構成されている。なお、第２接触部４２Ｂは、第２接触部２２Ｂと、規制部４２Ｅは、規制部２２Ｅと、連結部４２Ｆは、連結部２２Ｆと、それぞれ同様の構成とされている。そして、本実施形態では、第１接触部４２Ａの先端部に「係止部４２Ｇ」が設けられていると共に、第２当接片部４２Ｄに「被係止部４２Ｈ」設けられている点に特徴がある。
【００７２】
具体的には、第１接触部４２Ａは、第１接触部２２Ａと基本的に同様の構成とされているものの、第２当接片部２２Ｄと基本的に同様の構成とされた第２当接片部４２Ｄの摺接面４２Ｄ１と反対側の裏面４２Ｄ２よりもコネクタ下方側に延びている。一方、第１当接片部４２Ｃは、第１当接片部２２Ｃと基本的に同様の構成とされているものの、その延在方向の長さが、第１当接片部２２Ｃの延在方向の長さよりも短い長さに設定されている。
【００７３】
そして、係止部４２Ｇは、第１接触部４２Ａの先端部と連続しかつその板厚方向を第１接触部４２Ａの板厚方向と同じ方向とされてコネクタ幅方向に延びる板状とされている。つまり、係止部４２Ｇと第１接触部４２Ａとを含む部分は、係止部４２Ｇの板厚方向から見てＴ字状とされている。
【００７４】
一方、被係止部４２Ｈは、第２当接片部４２Ｄの長辺部４２Ｄ３、４２Ｄ４のそれぞれに設けられている。そして、被係止部４２Ｈは、第２当接片部４２Ｄの板厚方向から見て、短辺部４２Ｄ５側の部分のコネクタ幅方向の幅が一定とされていると共に、弾性変形部２４側の部分のコネクタ幅方向の幅が弾性変形部２４に向かうに従って縮幅された台形の板状とされている。また、被係止部４２Ｈの上面は、第２当接片部４２Ｄの摺接面４２Ｄ１と連続しており、基板３０に摺接されるため、以下では、当該上面を「摺接面４２Ｈ１」と称することとする。
【００７５】
また、係止部４２Ｇは、第１当接片部４２Ｃの自然状態において、被係止部４２Ｈにおける摺接面４２Ｈ１と反対側の「裏面４２Ｈ２」と所定の間隔をあけられた状態とされている。なお、裏面４２Ｈ２は、第２当接片部４２Ｄの裏面４２Ｄ２と連続している。そして、係止部４２Ｇは、第１当接片部４２Ｃがコネクタ上方側に所定量弾性変形すると、被係止部４２Ｈの裏面４２Ｈ２に係止されるようになっている。
【００７６】
このような構成によれば、係止部４２Ｇが被係止部４２Ｈに係止されることで、先端側に第１接触部４２Ａが設けられた第１当接片部４２Ｃと第２当接片部４２Ｄとの相対変位を規制することができる。このため、例えば、基板３０が摺接部４２に対して摺動しているときに、基板３０に付着した異物や作業者の指等が第１当接片部４２Ｃに引っ掛かる等して、第１当接片部４２Ｃが不要な変形をすることを抑制することができる。
【００７７】
また、基板３０が摺接部４２に対して弾性変形部２４と反対側に摺動するときに、基板３０は、第２当接片部４２Ｄに設けられた被係止部４２Ｈに摺接される。一方、第１当接片部４２Ｃに設けられた係止部４２Ｇは、被係止部４２Ｈにおける裏面４２Ｈ２に係止可能とされている。このため、第１接触部４２Ａが基板３０に接触するときに、被係止部４２Ｈが基板３０の障害となることを抑制することができる。
【００７８】
＜上記実施形態の補足説明＞
（１）  上述した第１実施形態では、第１当接片部２２Ｃ及び第２当接片部２２Ｄが、基板３０に摺接される構成とされていたが、第１当接片部２２Ｃのみが基板３０に摺接される構成としてもよい。また、第１当接片部２２Ｃ及び第２当接片部２２Ｄの形状も上記のものに限らず、第１当接片部２２Ｃ及び第２当接片部２２Ｄをコネクタ下方側に凸となって曲がった板状としてもよい。
【００７９】
（２）  また、上述した第１実施形態では、摺接部２２が第１当接片部２２Ｃ及び第２当接片部２２Ｄを含んで構成されていたが、これに限らず、摺接部２２の主な部分を一様な板状に構成し、この部分に突起状の第１接触部及び第２接触部２２Ｂを設ける構成としてもよい。
【００８０】
（３）  さらに、上述した第２実施形態では、係止部４２Ｇが被係止部４２Ｈの裏面４２Ｈ２に係止されるようになっていたが、これに限らず、第２当接片部４２Ｄ及び被係止部４２Ｈを基板３０に摺接されない構成として、被係止部４２Ｈの上面に係止部４２Ｇを係止するようにしてもよい。
【００８１】
（４）  加えて、上述した実施形態では、電気接続用端子１０、４０がハウジング１４に取り付けられていたが、これに限らず、電気接続用端子１０、４０が直接基板１８に取り付けられていてもよい。例えば、電気接続用端子１０、４０にリード部２８を設けない構成とすると共に、基板１８にランドを設けて当該ランドに固定部２０が固定されるようにしてもよい。
【符号の説明】
【００８２】
１０      電気接続用端子
１２      コネクタ
１４      ハウジング（取付対象物）
２０      固定部
２２      摺接部
２２Ａ    第１接触部
２２Ｂ    第２接触部
２２Ｃ    第１当接片部
２２Ｄ    第２当接片部
２４      弾性変形部
３０      基板（接続対象物）
３０Ａ    接触面
４０      電気接続用端子
４２      摺接部
４２Ａ    第１接触部
４２Ｂ    第２接触部
４２Ｃ    第１当接片部
４２Ｄ    第２当接片部
４２Ｇ    係止部
４２Ｈ    被係止部
４２Ｈ１  摺接面（接続対象物と摺接される面）
４２Ｈ２  裏面（接続対象物と摺接される面と反対側の面）
Ｌ        直線（接続対象物の摺動方向に延びる直線）
Ｓ１      距離（境界部から第１接触部までの距離）
Ｓ２      距離（境界部から第２接触部までの距離）
【図１】
2019091592.tif 000003
【図２】
2019091592.tif 000004
【図３】
2019091592.tif 000005
【図４】
2019091592.tif 000006
【図５】
2019091592.tif 000007
【図６】
2019091592.tif 000008
【図７】
2019091592.tif 000009